(57)【要約】【課題】本発明は手提げミニナイトランプを開示した。【解決手段】ランプベースを含み、前記ライトカバーの中にはライト溝が設置され、ランプを取る時、直接に手提げひもを提げ、フックがナイトランプを他の物に掛けることができ、モータが起動した後、モータが装飾品を連動させて回転させ、覆いカバーが装飾品を保護し、光透過溝が電球のライトを透過でき、下へスライドスリーブをスライドさせ、スライドスリーブが連結ロッドを推し動かし、連結ロッドがスライド蓋を推し動かしてランプ蓋でスライドさせ、これにより装飾チャンバを開けられ、装飾品を展示でき、使用者がナイトランプを取ることに便利を与え、どこでも便利に使用でき、ヒューマニゼーション設計は睡眠の需要に対応し、ライトの光度と色を調節できる。【選択図】図１
2020177884.tif 000002
【特許請求の範囲】
【請求項１】
ランプベースを含み、前記ランプベースの中には電池チャンバが設置され、前記ランプベースの底部には音響部品が設置され、前記ランプベースの中にはギヤ溝が設置され、前記ギヤ溝の中にはライトの色を調節できる調節部品が設置され、前記調節部品は前記ランプベースの頂部端面に固定的に装着されているライトカバーを含み、前記ライトカバーの中にはライト溝が設置され、前記ライト溝と前記ギヤ溝との間にはギヤ軸が回転できるように装着され、前記ギヤ軸の頂部端面には第一ギヤが固定的に装着され、前記ギヤ溝の左側内壁には連結溝が設置され、前記連結溝の上下内壁の中には前記連結溝に連通しているスライド溝が上下対称的に設置され、前記スライド溝の中にはスライダがスライドできるように装着され、前記スライダと前記スライド溝との間には推し動かしばねが固定的に装着され、上下の前記スライダの間にはスライドギヤ軸が回転できるように装着され、前記スライドギヤ軸にはスライドギヤが固定的に装着され、前記スライドギヤが第一ギヤと噛み合うことができ、前記ギヤ軸の頂部端面には第二ギヤが固定的に装着され、前記ライトカバーの中にはライトの色を変えられる色濾過板が回転できるように装着され、前記色濾過板には内歯が設置され、前記色濾過板の上側の内歯が前記第二ギヤと噛み合っており、前記ランプベースの頂部端面には電球が固定的に装着され、前記色濾過板が前記ライトカバーで回転する時、前記電球のライトの色を変えられ、前記ギヤ溝の底壁の中には制御器が固定的に設置され、前記制御器が前記音響部品を制御でき、前記制御器が前記電球の発光強弱も制御でき、これによりライトの光度の調節を実現し、前記ライトカバーの頂部端面にはランプ蓋が固定的に装着され、前記ランプ蓋には蓋部品が設置され、前記蓋部品は前記ギヤ溝の底壁に固定的に設置されているモータを含み、前記モータの上側の出力軸の端面にはモータ軸が固定的に連結され、前記ランプ蓋の中には装飾チャンバが設置され、前記モータ軸が上へ伸びて前記装飾チャンバの頂壁を貫通しており、前記ランプ蓋の頂部端面には前記装飾チャンバを中心として対称となる四つのスライド蓋がスライドできるように装着され、前記ランプ蓋には掛け孔が左右対称的に設置され、左右の前記掛け孔の間には手に下げて持つことができる手提げひもが固定的に連結され、前記手提げひもには掛けることに便利を与えるフックが固定的に設置されていることを特徴とする手提げミニナイトランプ。
【請求項２】
前記調節部品はまた前記ランプベースの外側端面に回転できるように装着されている調節リングを含み、前記調節リングには内歯が設置され、前記調節リングの中の内歯が前記スライドギヤと噛み合っており、前記スライド溝と前記ランプベースの外側端面との間には押しボタンがスライドできるように装着され、前記押しボタンが前記スライダとスライドできるように係合され、前記モータ軸には第三ギヤが固定的に装着され、前記第三ギヤが前記第一ギヤと噛み合っていることを特徴とする請求項１に記載の手提げミニナイトランプ。
【請求項３】
前記蓋部品はまた前記モータ軸の頂部端面に固定的に装着されている装飾品を含み、前記装飾チャンバの頂壁には覆いカバーが固定的に装着され、前記覆いカバーが前記装飾品を包み、前記覆いカバーの頂部端面には支持スライドロッドが固定的に装着され、前記支持スライドロッドにはスライドスリーブがスライドできるように装着され、前記スライドスリーブの底部端面には四つの連結ロッドが中心対称的にヒンジにより連結され、前記連結ロッドが前記スライド蓋とヒンジにより装着され、前記装飾チャンバと前記ライト溝との間には光を透過できる光透過溝が設置されていることを特徴とする請求項１に記載の手提げミニナイトランプ。
【発明の詳細な説明】
【技術分野】
【０００１】
本発明は照明器具用品分野を取り上げて、具体的には手提げミニナイトランプである。
【背景技術】
【０００２】
目下、人々が使用しているミニナイトランプが一般的に壁または他の物に固定的に装着され、しかし、夜に目覚めて使用するのが非常に不便であり、ナイトランプを随意に持って歩くことができなく、それにナイトランプのライトがいつも一つの単一の色と強度しか有しなく、目覚めたばかりの使用者の目に大きな刺激を与える。
【先行技術文献】
【特許文献】
【０００３】
【特許文献１】中国特許出願公開第１０２８８９４８２号明細書
【発明の概要】
【発明が解決しようとする課題】
【０００４】
本発明は手提げミニナイトランプを提供し、従来技術における上記欠点を解消することを目的とする。
【課題を解決するための手段】
【０００５】
本発明の手提げミニナイトランプは、ランプベースを含み、前記ランプベースの中には電池チャンバが設置され、前記ランプベースの底部には音響部品が設置され、前記ランプベースの中にはギヤ溝が設置され、前記ギヤ溝の中にはライトの色を調節できる調節部品が設置され、前記調節部品は前記ランプベースの頂部端面に固定的に装着されているライトカバーを含み、前記ライトカバーの中にはライト溝が設置され、前記ライト溝と前記ギヤ溝との間にはギヤ軸が回転できるように装着され、前記ギヤ軸の頂部端面には第一ギヤが固定的に装着され、前記ギヤ溝の左側内壁には連結溝が設置され、前記連結溝の上下内壁の中には前記連結溝に連通しているスライド溝が上下対称的に設置され、前記スライド溝の中にはスライダがスライドできるように装着され、前記スライダと前記スライド溝との間には推し動かしばねが固定的に装着され、上下の前記スライダの間にはスライドギヤ軸が回転できるように装着され、前記スライドギヤ軸にはスライドギヤが固定的に装着され、前記スライドギヤが第一ギヤと噛み合うことができ、前記ギヤ軸の頂部端面には第二ギヤが固定的に装着され、前記ライトカバーの中にはライトの色を変えられる色濾過板が回転できるように装着され、前記色濾過板には内歯が設置され、前記色濾過板の上側の内歯が前記第二ギヤと噛み合っており、前記ランプベースの頂部端面には電球が固定的に装着され、前記色濾過板が前記ライトカバーで回転する時、前記電球のライトの色を変えられ、前記ギヤ溝の底壁の中には制御器が固定的に設置され、前記制御器が前記音響部品を制御でき、前記制御器が前記電球の発光強弱も制御でき、これによりライトの光度の調節を実現し、前記ライトカバーの頂部端面にはランプ蓋が固定的に装着され、前記ランプ蓋には蓋部品が設置され、前記蓋部品は前記ギヤ溝の底壁に固定的に設置されているモータを含み、前記モータの上側の出力軸の端面にはモータ軸が固定的に連結され、前記ランプ蓋の中には装飾チャンバが設置され、前記モータ軸が上へ伸びて前記装飾チャンバの頂壁を貫通しており、前記ランプ蓋の頂部端面には前記装飾チャンバを中心として対称となる四つのスライド蓋がスライドできるように装着され、前記ランプ蓋には掛け孔が左右対称的に設置され、左右の前記掛け孔の間には手に下げて持つことができる手提げひもが固定的に連結され、前記手提げひもには掛けることに便利を与えるフックが固定的に設置されている。
【０００６】
更の技術プランとしては、前記調節部品はまた前記ランプベースの外側端面に回転できるように装着されている調節リングを含み、前記調節リングには内歯が設置され、前記調節リングの中の内歯が前記スライドギヤと噛み合っており、前記スライド溝と前記ランプベースの外側端面との間には押しボタンがスライドできるように装着され、前記押しボタンが前記スライダとスライドできるように係合され、前記モータ軸には第三ギヤが固定的に装着され、前記第三ギヤが前記第一ギヤと噛み合っている。
【０００７】
更の技術プランとしては、前記蓋部品はまた前記モータ軸の頂部端面に固定的に装着されている装飾品を含み、前記装飾チャンバの頂壁には覆いカバーが固定的に装着され、前記覆いカバーが前記装飾品を包み、前記覆いカバーの頂部端面には支持スライドロッドが固定的に装着され、前記支持スライドロッドにはスライドスリーブがスライドできるように装着され、前記スライドスリーブの底部端面には四つの連結ロッドが中心対称的にヒンジにより連結され、前記連結ロッドが前記スライド蓋とヒンジにより装着され、前記装飾チャンバと前記ライト溝との間には光を透過できる光透過溝が設置されている。
【発明の効果】
【０００８】
本発明の有益効果は：本発明は使用者がナイトランプを取ることに便利を与え、どこでも便利に使用でき、ヒューマニゼーション設計は睡眠の需要に対応し、ライトの光度と色を調節でき、目を保護でき、普及する価値がある。
【図面の簡単な説明】
【０００９】
【図１】図１は本発明の全体構成模式図
【図２】図２は図１の中のＡ−Ａ方向の断面構成模式図
【図３】図３は図１の中のＢ−Ｂ方向の断面構成模式図
【図４】図４は図１のＣ方向の構成模式図
【図５】図５は図１のＤにおける拡大構成模式図
【発明を実施するための形態】
【００１０】
以下に図１〜５を交えて本発明について詳しく説明する。便利に叙述するために、後文に出る方位を下記の通りに規定する：後文に出る上下左右前後方向は図１本体の投影関係の上下左右前後方向と一致する。
【００１１】
図１〜５を参照し、本発明の手提げミニナイトランプは、ランプベース１０を含み、前記ランプベース１０の中には電池チャンバ１２が設置され、前記ランプベース１０の底部には音響部品１１が設置され、前記ランプベース１０の中にはギヤ溝１６が設置され、前記ギヤ溝１６の中にはライトの色を調節できる調節部品８０が設置され、前記調節部品８０は前記ランプベース１０の頂部端面に固定的に装着されているライトカバー２１を含み、前記ライトカバー２１の中にはライト溝３４が設置され、前記ライト溝３４と前記ギヤ溝１６との間にはギヤ軸３６が回転できるように装着され、前記ギヤ軸３６の頂部端面には第一ギヤ３７が固定的に装着され、前記ギヤ溝１６の左側内壁には連結溝３８が設置され、前記連結溝３８の上下内壁の中には前記連結溝３８に連通しているスライド溝３９が上下対称的に設置され、前記スライド溝３９の中にはスライダ４１がスライドできるように装着され、前記スライダ４１と前記スライド溝３９との間には推し動かしばね４０が固定的に装着され、上下の前記スライダ４１の間にはスライドギヤ軸４３が回転できるように装着され、前記スライドギヤ軸４３にはスライドギヤ４２が固定的に装着され、前記スライドギヤ４２が第一ギヤ３７と噛み合うことができ、前記ギヤ軸３６の頂部端面には第二ギヤ３５が固定的に装着され、前記ライトカバー２１の中にはライトの色を変えられる色濾過板２０が回転できるように装着され、前記色濾過板２０には内歯が設置され、前記色濾過板２０の上側の内歯が前記第二ギヤ３５と噛み合っており、前記ランプベース１０の頂部端面には電球１９が固定的に装着され、前記色濾過板２０が前記ライトカバー２１で回転する時、前記電球１９のライトの色を変えられ、前記ギヤ溝１６の底壁の中には制御器１４が固定的に設置され、前記制御器１４が前記音響部品１１を制御でき、前記制御器１４が前記電球１９の発光強弱も制御でき、これによりライトの光度の調節を実現し、前記ライトカバー２１の頂部端面にはランプ蓋２４が固定的に装着され、前記ランプ蓋２４には蓋部品８１が設置され、前記蓋部品８１は前記ギヤ溝１６の底壁に固定的に設置されているモータ１５を含み、前記モータ１５の上側の出力軸の端面にはモータ軸１８が固定的に連結され、前記ランプ蓋２４の中には装飾チャンバ３３が設置され、前記モータ軸１８が上へ伸びて前記装飾チャンバ３３の頂壁を貫通しており、前記ランプ蓋２４の頂部端面には前記装飾チャンバ３３を中心として対称となる四つのスライド蓋２５がスライドできるように装着され、前記ランプ蓋２４には掛け孔２２が左右対称的に設置され、左右の前記掛け孔２２の間には手に下げて持つことができる手提げひも２３が固定的に連結され、前記手提げひも２３には掛けることに便利を与えるフック２８が固定的に設置されている。
【００１２】
前記調節部品８０はまた前記ランプベース１０の外側端面に回転できるように装着されている調節リング１３を含み、前記調節リング１３には内歯が設置され、前記調節リング１３の中の内歯が前記スライドギヤ４２と噛み合っており、前記スライド溝３９と前記ランプベース１０の外側端面との間には押しボタン４４がスライドできるように装着され、前記押しボタン４４が前記スライダ４１とスライドできるように係合され、前記モータ軸１８には第三ギヤ１７が固定的に装着され、前記第三ギヤ１７が前記第一ギヤ３７と噛み合っており、これにより手でライトの色を調節する時、調節リング１３を回転させ、調節リング１３がスライドギヤ４２を連動させて回転させ、スライドギヤ４２が回転して第一ギヤ３７を連動させて回転させ、第一ギヤ３７が回転して第二ギヤ３５を連動させて回転させ、第二ギヤ３５が回転して色濾過板２０を連動させて回転させ、色濾過板２０が回転して色濾過板２０を透過した電球１９のライトの色を変え、自動調節を使用する時、押しボタン４４を押し、押しボタン４４がスライダ４１を推し動かしてスライド溝３９の中でスライドさせ、スライドギヤ４２を第一ギヤ３７と噛み合わないようにし、モータ１５を始動し、モータ１５が回転して第三ギヤ１７を連動させて回転させ、第三ギヤ１７が回転して第一ギヤ３７を連動させて回転させ、第一ギヤ３７が回転して第二ギヤ３５を連動させて回転させ、第二ギヤ３５が色濾過板２０を回転させてライトの色の調節を実現し、制御器１４が電球１９の発光光度を制御し、１０分連続使用した後、制御器１４が電球１９の光度を制御して自動的に下げる。
【００１３】
前記蓋部品８１はまた前記モータ軸１８の頂部端面に固定的に装着されている装飾品３１を含み、前記装飾チャンバ３３の頂壁には覆いカバー３０が固定的に装着され、前記覆いカバー３０が前記装飾品３１を包み、前記覆いカバー３０の頂部端面には支持スライドロッド２９が固定的に装着され、前記支持スライドロッド２９にはスライドスリーブ２７がスライドできるように装着され、前記スライドスリーブ２７の底部端面には四つの連結ロッド２６が中心対称的にヒンジにより連結され、前記連結ロッド２６が前記スライド蓋２５とヒンジにより装着され、前記装飾チャンバ３３と前記ライト溝３４との間には光を透過できる光透過溝３２が設置され、これによりランプを取る時、直接に手提げひも２３を提げ、フック２８がナイトランプを他の物に掛けることができ、モータ１５が起動した後、モータ１５が装飾品３１を連動させて回転させ、覆いカバー３０が装飾品３１を保護し、光透過溝３２が電球１９のライトを透過でき、下へスライドスリーブ２７をスライドさせ、スライドスリーブ２７が連結ロッド２６を推し動かし、連結ロッド２６がスライド蓋２５を推し動かしてランプ蓋２４でスライドさせ、これにより装飾チャンバ３３を開けられ、装飾品３１を展示できる。
【００１４】
使用する時、ランプを取る時、直接に手提げひも２３を提げ、フック２８がナイトランプを他の物に掛けることができ、手でライトの色を調節する時、調節リング１３を回転させ、調節リング１３がスライドギヤ４２を連動させて回転させ、スライドギヤ４２が回転して第一ギヤ３７を連動させて回転させ、第一ギヤ３７が回転して第二ギヤ３５を連動させて回転させ、第二ギヤ３５が回転して色濾過板２０を連動させて回転させ、色濾過板２０が回転して色濾過板２０を透過した電球１９のライトの色を変え、自動調節を使用する時、押しボタン４４を押し、押しボタン４４がスライダ４１を推し動かしてスライド溝３９の中でスライドさせ、スライドギヤ４２を第一ギヤ３７と噛み合わないようにし、モータ１５を始動し、モータ１５が回転して第三ギヤ１７を連動させて回転させ、第三ギヤ１７が回転して第一ギヤ３７を連動させて回転させ、第一ギヤ３７が回転して第二ギヤ３５を連動させて回転させ、第二ギヤ３５が色濾過板２０を回転させてライトの色の調節を実現し、モータ１５が起動した後、モータ１５が装飾品３１を連動させて回転させ、覆いカバー３０が装飾品３１を保護し、光透過溝３２が電球１９のライトを透過でき、下へスライドスリーブ２７をスライドさせ、スライドスリーブ２７が連結ロッド２６を推し動かし、連結ロッド２６がスライド蓋２５を推し動かしてランプ蓋２４でスライドさせ、装飾チャンバ３３を開けられ、装飾品３１を展示でき、制御器１４が電球１９の発光光度を制御し、１０分連続使用した後、制御器１４が電球１９の光度を制御して自動的に下げ、電球１９が音響部品１１の音楽再生を制御できる。
【００１５】
本発明の有益効果は：本発明は使用者がナイトランプを取ることに便利を与え、どこでも便利に使用でき、ヒューマニゼーション設計は睡眠の需要に対応し、ライトの光度と色を調節でき、目を保護でき、普及する価値がある。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020177884.tif 000003
【図２】
2020177884.tif 000004
【図３】
2020177884.tif 000005
【図４】
2020177884.tif 000006
【図５】
2020177884.tif 000007
【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
ランプベースを含み、前記ランプベースの中には電池チャンバが設置され、前記ランプベースの底部には音響部品が設置され、前記ランプベースの中にはギヤ溝が設置され、前記ギヤ溝の中にはライトの色を調節できる調節部品が設置され、前記調節部品は前記ランプベースの頂部端面に固定的に装着されているライトカバーを含み、前記ライトカバーの中にはライト溝が設置され、前記ライト溝と前記ギヤ溝との間にはギヤ軸が回転できるように装着され、前記ギヤ軸の頂部端面には第一ギヤが固定的に装着され、前記ギヤ溝の左側内壁には連結溝が設置され、前記連結溝の上下内壁の中には前記連結溝に連通しているスライド溝が上下対称的に設置され、前記スライド溝の中にはスライダがスライドできるように装着され、前記スライダと前記スライド溝との間には推し動かしばねが固定的に装着され、上下の前記スライダの間にはスライドギヤ軸が回転できるように装着され、前記スライドギヤ軸にはスライドギヤが固定的に装着され、前記スライドギヤが第一ギヤと噛み合うことができ、前記ギヤ軸の頂部端面には第二ギヤが固定的に装着され、前記ライトカバーの中にはライトの色を変えられる色濾過板が回転できるように装着され、前記色濾過板には内歯が設置され、前記色濾過板の上側の内歯が前記第二ギヤと噛み合っており、前記ランプベースの頂部端面には電球が固定的に装着され、前記色濾過板が前記ライトカバーで回転する時、前記電球のライトの色を変えられ、前記ギヤ溝の底壁の中には制御器が固定的に設置され、前記制御器が前記音響部品を制御でき、前記制御器が前記電球の発光強弱も制御でき、これによりライトの光度の調節を実現し、前記ライトカバーの頂部端面にはランプ蓋が固定的に装着され、前記ランプ蓋には蓋部品が設置され、前記蓋部品は前記ギヤ溝の底壁に固定的に設置されているモータを含み、前記モータの上側の出力軸の端面にはモータ軸が固定的に連結され、前記ランプ蓋の中には装飾チャンバが設置され、前記モータ軸が上へ伸びて前記装飾チャンバの頂壁を貫通しており、前記ランプ蓋の頂部端面には前記装飾チャンバを中心として対称となる四つのスライド蓋がスライドできるように装着され、前記ランプ蓋には掛け孔が左右対称的に設置され、左右の前記掛け孔の間には手に下げて持つことができる手提げひもが固定的に連結され、前記手提げひもには掛けることに便利を与えるフックが固定的に設置されていることを特徴とする手提げミニナイトランプ。  
【請求項２】
前記調節部品はまた前記ランプベースの外側端面に回転できるように装着されている調節リングを含み、前記調節部品は、前記調節リングに内歯が設置され、前記調節リングの中の内歯が前記スライドギヤと噛み合っており、前記スライド溝と前記ランプベースの外側端面との間に押しボタンがスライドできるように装着され、前記押しボタンが前記スライダとスライドできるように係合され、前記モータ軸に第三ギヤが固定的に装着され、前記第三ギヤが前記第一ギヤと噛み合っていることを特徴とする請求項１に記載の手提げミニナイトランプ。
【請求項３】
前記蓋部品はまた前記モータ軸の頂部端面に固定的に装着されている装飾品を含み、前記蓋部品は、前記装飾チャンバの頂壁に覆いカバーが固定的に装着され、前記覆いカバーが前記装飾品を包み、前記覆いカバーの頂部端面に支持スライドロッドが固定的に装着され、前記支持スライドロッドにスライドスリーブがスライドできるように装着され、前記スライドスリーブの底部端面に四つの連結ロッドが中心対称的にヒンジにより連結され、前記連結ロッドが前記スライド蓋とヒンジにより装着され、前記装飾チャンバと前記ライト溝との間に光を透過できる光透過溝が設置されていることを特徴とする請求項１に記載の手提げミニナイトランプ。
【手続補正２】
【補正対象書類名】明細書
【補正対象項目名】全文
【補正方法】変更
【補正の内容】
【発明の詳細な説明】
【技術分野】
【０００１】
本発明は照明器具用品分野を取り上げて、具体的には手提げミニナイトランプである。  
【背景技術】
【０００２】
目下、人々が使用しているミニナイトランプが一般的に壁または他の物に固定的に装着され、しかし、夜に目覚めて使用するのが非常に不便であり、ナイトランプを随意に持って歩くことができなく、それにナイトランプのライトがいつも一つの単一の色と強度しか有しなく、目覚めたばかりの使用者の目に大きな刺激を与える。  
【先行技術文献】
【特許文献】
【０００３】
【特許文献１】中国特許出願公開第１０２８８９４８２号明細書
【発明の概要】
【発明が解決しようとする課題】
【０００４】
本発明は手提げミニナイトランプを提供し、従来技術における上記欠点を解消することを目的とする。  
【課題を解決するための手段】
【０００５】
本発明の手提げミニナイトランプは、ランプベースを含み、前記ランプベースの中には電池チャンバが設置され、前記ランプベースの底部には音響部品が設置され、前記ランプベースの中にはギヤ溝が設置され、前記ギヤ溝の中にはライトの色を調節できる調節部品が設置され、前記調節部品は前記ランプベースの頂部端面に固定的に装着されているライトカバーを含み、前記ライトカバーの中にはライト溝が設置され、前記ライト溝と前記ギヤ溝との間にはギヤ軸が回転できるように装着され、前記ギヤ軸の頂部端面には第一ギヤが固定的に装着され、前記ギヤ溝の左側内壁には連結溝が設置され、前記連結溝の上下内壁の中には前記連結溝に連通しているスライド溝が上下対称的に設置され、前記スライド溝の中にはスライダがスライドできるように装着され、前記スライダと前記スライド溝との間には推し動かしばねが固定的に装着され、上下の前記スライダの間にはスライドギヤ軸が回転できるように装着され、前記スライドギヤ軸にはスライドギヤが固定的に装着され、前記スライドギヤが第一ギヤと噛み合うことができ、前記ギヤ軸の頂部端面には第二ギヤが固定的に装着され、前記ライトカバーの中にはライトの色を変えられる色濾過板が回転できるように装着され、前記色濾過板には内歯が設置され、前記色濾過板の上側の内歯が前記第二ギヤと噛み合っており、前記ランプベースの頂部端面には電球が固定的に装着され、前記色濾過板が前記ライトカバーで回転する時、前記電球のライトの色を変えられ、前記ギヤ溝の底壁の中には制御器が固定的に設置され、前記制御器が前記音響部品を制御でき、前記制御器が前記電球の発光強弱も制御でき、これによりライトの光度の調節を実現し、前記ライトカバーの頂部端面にはランプ蓋が固定的に装着され、前記ランプ蓋には蓋部品が設置され、前記蓋部品は前記ギヤ溝の底壁に固定的に設置されているモータを含み、前記モータの上側の出力軸の端面にはモータ軸が固定的に連結され、前記ランプ蓋の中には装飾チャンバが設置され、前記モータ軸が上へ伸びて前記装飾チャンバの頂壁を貫通しており、前記ランプ蓋の頂部端面には前記装飾チャンバを中心として対称となる四つのスライド蓋がスライドできるように装着され、前記ランプ蓋には掛け孔が左右対称的に設置され、左右の前記掛け孔の間には手に下げて持つことができる手提げひもが固定的に連結され、前記手提げひもには掛けることに便利を与えるフックが固定的に設置されている。
【０００６】
更の技術プランとしては、前記調節部品はまた前記ランプベースの外側端面に回転できるように装着されている調節リングを含み、前記調節部品は、前記調節リングに内歯が設置され、前記調節リングの中の内歯が前記スライドギヤと噛み合っており、前記スライド溝と前記ランプベースの外側端面との間に押しボタンがスライドできるように装着され、前記押しボタンが前記スライダとスライドできるように係合され、前記モータ軸に第三ギヤが固定的に装着され、前記第三ギヤが前記第一ギヤと噛み合っている。  
【０００７】
更の技術プランとしては、前記蓋部品はまた前記モータ軸の頂部端面に固定的に装着されている装飾品を含み、前記蓋部品は、前記装飾チャンバの頂壁に覆いカバーが固定的に装着され、前記覆いカバーが前記装飾品を包み、前記覆いカバーの頂部端面に支持スライドロッドが固定的に装着され、前記支持スライドロッドにスライドスリーブがスライドできるように装着され、前記スライドスリーブの底部端面に四つの連結ロッドが中心対称的にヒンジにより連結され、前記連結ロッドが前記スライド蓋とヒンジにより装着され、前記装飾チャンバと前記ライト溝との間に光を透過できる光透過溝が設置されている。  
【発明の効果】
【０００８】
本発明の有益効果は：本発明は使用者がナイトランプを取ることに便利を与え、どこでも便利に使用でき、ヒューマニゼーション設計は睡眠の需要に対応し、ライトの光度と色を調節でき、目を保護でき、普及する価値がある。  
【図面の簡単な説明】
【０００９】
【図１】図１は本発明の全体構成模式図
【図２】図２は図１の中のＡ−Ａ方向の断面構成模式図
【図３】図３は図１の中のＢ−Ｂ方向の断面構成模式図
【図４】図４は図１のＣ方向の構成模式図
【図５】図５は図１のＤにおける拡大構成模式図
【発明を実施するための形態】
【００１０】
以下に図１〜５を交えて本発明について詳しく説明する。便利に叙述するために、後文に出る方位を下記の通りに規定する：後文に出る上下左右前後方向は図１本体の投影関係の上下左右前後方向と一致する。  
【００１１】
図１〜５を参照し、本発明の手提げミニナイトランプは、ランプベース１０を含み、前記ランプベース１０の中には電池チャンバ１２が設置され、前記ランプベース１０の底部には音響部品１１が設置され、前記ランプベース１０の中にはギヤ溝１６が設置され、前記ギヤ溝１６の中にはライトの色を調節できる調節部品８０が設置され、前記調節部品８０は前記ランプベース１０の頂部端面に固定的に装着されているライトカバー２１を含み、前記ライトカバー２１の中にはライト溝３４が設置され、前記ライト溝３４と前記ギヤ溝１６との間にはギヤ軸３６が回転できるように装着され、前記ギヤ軸３６の頂部端面には第一ギヤ３７が固定的に装着され、前記ギヤ溝１６の左側内壁には連結溝３８が設置され、前記連結溝３８の上下内壁の中には前記連結溝３８に連通しているスライド溝３９が上下対称的に設置され、前記スライド溝３９の中にはスライダ４１がスライドできるように装着され、前記スライダ４１と前記スライド溝３９との間には推し動かしばね４０が固定的に装着され、上下の前記スライダ４１の間にはスライドギヤ軸４３が回転できるように装着され、前記スライドギヤ軸４３にはスライドギヤ４２が固定的に装着され、前記スライドギヤ４２が第一ギヤ３７と噛み合うことができ、前記ギヤ軸３６の頂部端面には第二ギヤ３５が固定的に装着され、前記ライトカバー２１の中にはライトの色を変えられる色濾過板２０が回転できるように装着され、前記色濾過板２０には内歯が設置され、前記色濾過板２０の上側の内歯が前記第二ギヤ３５と噛み合っており、前記ランプベース１０の頂部端面には電球１９が固定的に装着され、前記色濾過板２０が前記ライトカバー２１で回転する時、前記電球１９のライトの色を変えられ、前記ギヤ溝１６の底壁の中には制御器１４が固定的に設置され、前記制御器１４が前記音響部品１１を制御でき、前記制御器１４が前記電球１９の発光強弱も制御でき、これによりライトの光度の調節を実現し、前記ライトカバー２１の頂部端面にはランプ蓋２４が固定的に装着され、前記ランプ蓋２４には蓋部品８１が設置され、前記蓋部品８１は前記ギヤ溝１６の底壁に固定的に設置されているモータ１５を含み、前記モータ１５の上側の出力軸の端面にはモータ軸１８が固定的に連結され、前記ランプ蓋２４の中には装飾チャンバ３３が設置され、前記モータ軸１８が上へ伸びて前記装飾チャンバ３３の頂壁を貫通しており、前記ランプ蓋２４の頂部端面には前記装飾チャンバ３３を中心として対称となる四つのスライド蓋２５がスライドできるように装着され、前記ランプ蓋２４には掛け孔２２が左右対称的に設置され、左右の前記掛け孔２２の間には手に下げて持つことができる手提げひも２３が固定的に連結され、前記手提げひも２３には掛けることに便利を与えるフック２８が固定的に設置されている。
【００１２】
前記調節部品８０はまた前記ランプベース１０の外側端面に回転できるように装着されている調節リング１３を含み、前記調節部品８０は、前記調節リング１３に内歯が設置され、前記調節リング１３の中の内歯が前記スライドギヤ４２と噛み合っており、前記スライド溝３９と前記ランプベース１０の外側端面との間に押しボタン４４がスライドできるように装着され、前記押しボタン４４が前記スライダ４１とスライドできるように係合され、前記モータ軸１８に第三ギヤ１７が固定的に装着され、前記第三ギヤ１７が前記第一ギヤ３７と噛み合っており、これにより手でライトの色を調節する時、調節リング１３を回転させ、調節リング１３がスライドギヤ４２を連動させて回転させ、スライドギヤ４２が回転して第一ギヤ３７を連動させて回転させ、第一ギヤ３７が回転して第二ギヤ３５を連動させて回転させ、第二ギヤ３５が回転して色濾過板２０を連動させて回転させ、色濾過板２０が回転して色濾過板２０を透過した電球１９のライトの色を変え、自動調節を使用する時、押しボタン４４を押し、押しボタン４４がスライダ４１を推し動かしてスライド溝３９の中でスライドさせ、スライドギヤ４２を第一ギヤ３７と噛み合わないようにし、モータ１５を始動し、モータ１５が回転して第三ギヤ１７を連動させて回転させ、第三ギヤ１７が回転して第一ギヤ３７を連動させて回転させ、第一ギヤ３７が回転して第二ギヤ３５を連動させて回転させ、第二ギヤ３５が色濾過板２０を回転させてライトの色の調節を実現し、制御器１４が電球１９の発光光度を制御し、１０分連続使用した後、制御器１４が電球１９の光度を制御して自動的に下げる。  
【００１３】
前記蓋部品８１はまた前記モータ軸１８の頂部端面に固定的に装着されている装飾品３１を含み、前記蓋部品は、前記装飾チャンバ３３の頂壁に覆いカバー３０が固定的に装着され、前記覆いカバー３０が前記装飾品３１を包み、前記覆いカバー３０の頂部端面に支持スライドロッド２９が固定的に装着され、前記支持スライドロッド２９にスライドスリーブ２７がスライドできるように装着され、前記スライドスリーブ２７の底部端面に四つの連結ロッド２６が中心対称的にヒンジにより連結され、前記連結ロッド２６が前記スライド蓋２５とヒンジにより装着され、前記装飾チャンバ３３と前記ライト溝３４との間に光を透過できる光透過溝３２が設置され、これによりランプを取る時、直接に手提げひも２３を提げ、フック２８がナイトランプを他の物に掛けることができ、モータ１５が起動した後、モータ１５が装飾品３１を連動させて回転させ、覆いカバー３０が装飾品３１を保護し、光透過溝３２が電球１９のライトを透過でき、下へスライドスリーブ２７をスライドさせ、スライドスリーブ２７が連結ロッド２６を推し動かし、連結ロッド２６がスライド蓋２５を推し動かしてランプ蓋２４でスライドさせ、これにより装飾チャンバ３３を開けられ、装飾品３１を展示できる。  
【００１４】
使用する時、ランプを取る時、直接に手提げひも２３を提げ、フック２８がナイトランプを他の物に掛けることができ、手でライトの色を調節する時、調節リング１３を回転させ、調節リング１３がスライドギヤ４２を連動させて回転させ、スライドギヤ４２が回転して第一ギヤ３７を連動させて回転させ、第一ギヤ３７が回転して第二ギヤ３５を連動させて回転させ、第二ギヤ３５が回転して色濾過板２０を連動させて回転させ、色濾過板２０が回転して色濾過板２０を透過した電球１９のライトの色を変え、自動調節を使用する時、押しボタン４４を押し、押しボタン４４がスライダ４１を推し動かしてスライド溝３９の中でスライドさせ、スライドギヤ４２を第一ギヤ３７と噛み合わないようにし、モータ１５を始動し、モータ１５が回転して第三ギヤ１７を連動させて回転させ、第三ギヤ１７が回転して第一ギヤ３７を連動させて回転させ、第一ギヤ３７が回転して第二ギヤ３５を連動させて回転させ、第二ギヤ３５が色濾過板２０を回転させてライトの色の調節を実現し、モータ１５が起動した後、モータ１５が装飾品３１を連動させて回転させ、覆いカバー３０が装飾品３１を保護し、光透過溝３２が電球１９のライトを透過でき、下へスライドスリーブ２７をスライドさせ、スライドスリーブ２７が連結ロッド２６を推し動かし、連結ロッド２６がスライド蓋２５を推し動かしてランプ蓋２４でスライドさせ、装飾チャンバ３３を開けられ、装飾品３１を展示でき、制御器１４が電球１９の発光光度を制御し、１０分連続使用した後、制御器１４が電球１９の光度を制御して自動的に下げ、電球１９が音響部品１１の音楽再生を制御できる。  
【００１５】
本発明の有益効果は：本発明は使用者がナイトランプを取ることに便利を与え、どこでも便利に使用でき、ヒューマニゼーション設計は睡眠の需要に対応し、ライトの光度と色を調節でき、目を保護でき、普及する価値がある。  
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。